(57)【特許請求の範囲】
【請求項１】
画像データに基づいて画像を表示するモニタを有するクライアントコンピュータと、当該クライアントコンピュータからネットワークを介して送られてきた画像データを処理した後、処理された当該画像データを前記ネットワークを介して当該クライアントコンピュータに送り出す画像処理部を有する画像処理サーバコンピュータと、を備え、
前記画像処理部が、前記画像データに基づいて画像をプリントする複数の出力センターに設置された複数のプリンタのプリント特性ファイルを格納するプリント特性格納部と、前記クライアントコンピュータから送られてきた画像データに基づくシミュレート画像データを生成するシミュレート画像生成部を含み、
前記クライアントコンピュータにおいて画像プリントを行う前記出力センターの前記プリンタが指定された際に、
前記シミュレート画像生成部は、前記プリント特性格納部から指定された前記プリンタの前記プリント特性ファイルを取得するとともに、前記画像データに対して当該プリント特性ファイルを適用して、指定された前記プリンタによって作成されるプリント画像を表す前記シミュレート画像データを生成し、
前記画像処理部は、前記シミュレート画像データを前記処理された画像データとして前記クライアントコンピュータに送り出すことを特徴とするネットワークプレジャッジシステム。
【請求項２】
前記プリント特性ファイルはプリンタ毎に異なる機種特性ファイルと印画紙種別毎に異なる印画紙特性ファイルを含んでいることを特徴とする請求項１に記載のネットワークプレジャッジシステム。
【請求項３】
前記画像処理部に対して画像補正コマンドを与える機能を前記クライアントコンピュータに持たせるように、前記画像処理サーバコンピュータから前記クライアントコンピュータに画像補正コマンド送信用プログラムが送られることを特徴とする請求項１又は２に記載のネットワークプレジャッジシステム。
【請求項４】
前記画像処理部は複数種類のモニタのためのモニタ特性ファイルを格納するモニタ特性格納部を備えており、前記シミュレート画像生成の際にクライアントコンピュータの使用モニタに応じて選択されたモニタ特性ファイルが利用されることを特徴とする請求項１〜３のいずれかに記載のネットワークプレジャッジシステム。
【請求項５】
前記画像処理サーバコンピュータは前記用いられた画像補正コマンドからなる画像補正履歴ファイルを生成するとともにクライアントコンピュータに送ることを特徴とする請求項３に記載のネットワークプレジャッジシステム。
【請求項６】
前記クライアントコンピュータから画像処理サーバコンピュータには低解像化された画像データが送られることを特徴とする請求項１〜５のいずれかに記載のネットワークプレジャッジシステム。
【請求項７】
前記画像処理サーバコンピュータはクライアントコンピュータによって指示された画像補正を施した画像データを所定のプリントショップのプリントサーバコンピュータにネットワークを通じて送ることを特徴とする請求項１〜４のいずれかに記載のネットワークプレジャッジシステム。
【発明の詳細な説明】
【０００１】
【発明の属する技術分野】
本発明は、デジタル写真プリント等の画像処理サービスをネットワークを通じて顧客にサービスする技術に関する。
【０００２】
【従来の技術】
近年、画像データをネットワークを通じて出力センタに伝送し、プリント出力を発注するサービスが登場している。このサービスでは２４時間のうちの任意の時間に任意のところから発注できるので、発注者にとっても受注者にとっても便利なシステムである。
このようなネットワークサービスは、写真フィルムからデジタル化された画像データやデジタルカメラなどによって取得された画像データに基づいて画像を印画紙に焼き付ける、いわゆるデジタル露光が主流となりつつあるフォトフィニッシング業界においても注目され、顧客が自宅又は取次店から画像データをセンタラボに伝送し、そこで作製された写真プリントを取次店を介して受け取るネットワークフォトサービスが提案されている。
【０００３】
【発明が解決しようとする課題】
上述したようなネットワークを利用した画像処理サービスでは、従来の距離的制限や時間的制限を解放するといった利点は得られるものの、実際のプリント出力結果はプリントを入手するまでは分からず、入手したプリントを見てその色合い等が予想していたものと大きくずれており、落胆するという問題は依然として残っていた。特に、写真画像データに基づいて印画紙に画像を焼き付ける銀塩写真プリントの場合、使用印画紙の特性やプリンタ機種の特性により微妙に色合いが変化するとともに、顧客がそのような微妙な色合いを重要視するということから、この問題は特に重大となっている。
上記実状に鑑み、本発明の課題は、顧客が予想する出力状態と実際の出力結果が余りずれないようなネットワークを用いた画像処理サービス技術を提供することである。
【０００４】
【課題を解決するための手段】
上記課題を解決するため、本発明によって提案されるネットワークプレジャッジシステムは、画像データに基づいて画像を表示するモニタを有するクライアントコンピュータと、当該クライアントコンピュータからネットワークを介して送られてきた画像データを処理した後、処理された当該画像データを前記ネットワークを介して当該クライアントコンピュータに送り出す画像処理部を有する画像処理サーバコンピュータと、を備え、前記画像処理部が、前記画像データに基づいて画像をプリントする複数の出力センターに設置された複数のプリンタのプリント特性ファイルを格納するプリント特性格納部と、前記クライアントコンピュータから送られてきた画像データに基づくシミュレート画像データを生成するシミュレート画像生成部を含み、前記クライアントコンピュータにおいて画像プリントを行う前記出力センターの前記プリンタが指定された際に、前記シミュレート画像生成部は、前記プリント特性格納部から指定された前記プリンタの前記プリント特性ファイルを取得するとともに、前記画像データに対して当該プリント特性ファイルを適用して、指定された前記プリンタによって作成されるプリント画像を表す前記シミュレート画像データを生成し、前記画像処理部は、前記シミュレート画像データを前記処理された画像データとして前記クライアントコンピュータに送り出す。
【０００５】
このシステムでは、顧客がクライアントコンピュータ端末を用いてネットワーク先の画像処理サーバコンピュータにアクセスしてプリント出力したい画像データを伝送すると、画像処理サーバコンピュータはプリント出力機器システムの特性を考慮しながら実際に予想されるプリント出力結果を表すシミュレート画像データを生成し、クライアントコンピュータに送出するので、顧客はモニタ上でこのシミュレート画像を見て、予想される出力結果を確認することができる。このように、前もってプリント出力結果をシミュレートしたシミュレート画像で確認できるので、従来のような、入手したプリントを見てその色合い等の予想とのずれに落胆するということが起こりにくくなる。
出力プリントの用途に応じて用いるプリント出力機器を選択する必要があり、かつプリント出力機器毎によって色合い等の特性も異なることから、前記プリント特性格納部が複数種類のプリント特性ファイルを格納しており、選択したプリント出力機器に対応するプリント特性ファイルを用いることによって可能な限り正確なシミュレート画像データが生成される。
【０００６】
特にプリント出力機器として、銀塩プリンタを用いている場合、出力結果は、プリンタ本体の機器特性及び画像を形成する印画紙の特性に依存することになるので、プリント特性格納部に格納されるプリント特性ファイルはプリンタ毎に異なる機種特性ファイルと印画紙種別毎に異なる印画紙特性ファイルを含んでいる。これにより、顧客が特定の銀塩プリンタと印画紙の組み合わせを願った場合でも、可能な限り正確なシミュレート画像データを生成することができ、顧客はプリント出力結果をモニタ上のシミュレート画像で正確に確認することができる。
【０００７】
シミュレート画像から所望のプリント出力が得られないと判断される場合、所望のプリント出力が得られるように画像データを補正する道が残されている。この画像データの補正は、クライアントコンピュータ側で行って再度画像処理サーバコンピュータに伝送してもよいが、これは手間のかかるバッチ的作業となるので、本発明の好適な実施形態の１つでは、前記画像処理部に対して画像補正コマンドを与える機能を前記クライアントコンピュータに持たせるように、前記画像処理サーバコンピュータから前記クライアントコンピュータに画像補正コマンド送信用プログラムが送られるように構成されており、顧客がクライアントコンピュータを用いて画像処理サーバコンピュータの直接画像処理部に対してレベル補正やトーンカーブ補正などの画像補正コマンド与えてオンライン処理し、リアルタイムで変化するシミュレート画像を観察することで、所望のプリント出力結果が得られるように画像データを補正することが実現する。
【０００８】
このようなシミュレート画像を用いた画像データとプリント出力のカラーマッチングをより完全なものにするためには、シミュレート画像を表示するモニタのカラーマッチングも重要となる。顧客が自宅に保有するような一般的なモニタをこのプレジャッジシステムに組み入れる場合、当然使用されるモニタ種類もばらばらであるので、モニタ間の色合いのばらつきを考慮することも重要である。このため、本発明の好適な実施形態では、前記画像処理部は複数種類のモニタのためのモニタ特性ファイルを格納するモニタ特性格納部を備えており、前記シミュレート画像生成の際にクライアントコンピュータの使用モニタに応じて選択されたモニタ特性ファイルが利用される。
【０００９】
画像処理サーバコンピュータが、必要に応じて与えられる画像補正コマンドに応じてシミュレート画像を生成し、顧客のプリント出力チェックを助ける役割だけをもち、実際のプリント出力は別に行うようなシステムの場合、本発明では、前記画像処理サーバコンピュータは前記用いられた画像補正コマンドからなる画像補正履歴ファイルを生成するとともにクライアントコンピュータに送るように構成されたネットワークプレジャッジシステムが提案される。クライアントコンピュータ側では、送られてきた画像補正履歴ファイルと画像処理サーバコンピュータでの画像処理の対象となった画像データとを、同一のファイル階層に格納するなどのような簡単な操作でリンクするとよい。もちろん、それぞれのファイルのヘッダ部に適当なリンクコードを書き込んでリンクするようにしてもよい。いずれにしてもこのような構成を採用することにより、所望のプリント出力を得られるように要求される画像補正の手順、つまり画像補正履歴ファイルを画像処理サーバコンピュータからクライアントコンピュータに送ってもらい、顧客側でこの画像補正履歴ファイルとプリント処理対象の画像データとをリンクした形で、ＭＯやＣＤ−Ｒなどのリムーバル記憶メディアに格納し、近くのプリントショップに持参してプリント出力を依頼することができる。このような技術は、特に処理対象の画像データが巨大な場合、低解像度化した画像データでもって上述したシミュレート画像を用いたプレジャッジを行い、プレジャッジの終了後は送られてくる画像補正履歴ファイルを元の巨大な高解像度の画像データにリンクするだけで、所望のプリント出力を得る道が開かれる。このことは、画像データがそれほど巨大ではなくともネットワークの伝送速度が高速でない場合にも極めて有効な手法である。この目的のために、前記クライアントコンピュータから画像処理サーバコンピュータには低解像化された画像データが送られるようにする。この画像データに対する解像度変換機能はクライアントコンピュータ側で独自に用意してもよいが、クライアントコンピュータにそのような画像データ低解像度化機能を与えるプログラムを画像処理サーバコンピュータから送るようなシステムが好ましい。一般に、モニタ表示に要求される画像データの解像度は、プリント出力の目的で必要とされる画像データの解像度に比べ、かなり低いので一般には、シミュレート画像を用いたプレジャッジでは低解像度の画像データで十分である。
【００１０】
もちろん、ＪＰＥＧに代表されるような圧縮技術を用いたり、高速なネットワークを利用する場合などでは、直接そのままの画像データを画像処理サーバコンピュータに送り、その画像データを用いて画像補正やシミュレート画像生成を行うとともに、プレジャッジを終了した画像データを画像処理サーバコンピュータから直接所望のプリント出力機器を備えるプリントショップのプリントサーバコンピュータにネットワークを介して送ることも可能である。これにより、顧客は、自宅又は近所の取次店にいながらにして、所望のプリント出力機器を用いた失敗のないプリント出力を実現することができる。
本発明によるその他の特徴及び利点は、以下図面を用いた実施例の説明により明らかになるだろう。
【００１１】
【発明の実施の形態】
本発明によるネットワークプリジャッジシステムの一例を図１を用いて説明する。このシステムは、基本的に、顧客又は取次店に所有されているクライアントコンピュータ１としてのコンピュータ、共同センターに設置された画像処理サーバコンピュータ２，出力センターや写真ラボに設置されるプリントサーバコンピュータ５、及びこれらの相互に接続する通信回線６としてのインターネットから構成されている。
【００１２】
クライアントコンピュータ１は、インターネット接続可能なコンピュータで、ＷＷＷブラウザ１１が搭載されており、Ｉ／Ｏインターフェースを介してモニタ１３、キーボード１４とマウス１４ａ、ＰＣカードスロット１５、ハードディスク１６、リムーバルディスク１７が接続されている。
【００１３】
画像処理サーバコンピュータ２は、本発明に関係するものとして、ＷＷＷサーバ部と画像処理部４を備えており、画像処理部４は、予想されるプリント出力画像を表す画像データとしてのシミュレート画像データを生成するシミュレート画像生成部４１、シミュレート画像データ生成時に用いられるプリント特性ファイルとしての機種特性ファイル４２ａと印画紙特性ファイル４２ｂを格納したプリント特性格納部４２やモニタ特性ファイル４３ａを格納したモニタ特性格納部４３、クライアントコンピュータ１からの画像補正コマンドに従ってシミュレート画像データを補正する補正コマンド処理部４４、画像補正コマンドによる画像補正の履歴とその都度の処理パラメータを書き込んだ履歴ファイルを生成する履歴ファイル生成部４５などを含んでいる。
【００１４】
プリントサーバコンピュータ５は、入力された画像データを一時的に格納し、接続されているプリント出力機器、ここでは印画紙を記録紙とするデジタル銀塩プリンタ５１を用いてプリント出力を行う。つまり、画像データが写真の場合、ここで出力されるプリントは、写真プリントと呼ばれているものとなる。通常、出力センターには、複数の異なる出力機器、例えば、大判のインクジェットプリンタやイメージセッタなどが設置されており、顧客の要望により選択使用される。
【００１５】
クライアントコンピュータ１と画像処理サーバコンピュータ２との間のインターネットを介してのデータのやり取りのため搭載されたＷＷＷブラウザ１１だけでは、本発明による種々なデータ処理を行うことができないので、ヘルパーアプリケーションのようなものが必要となるが、この実施の形態では、ＪＡＶＡ言語でプログラムされたアプレット呼ばれるアプリケーションが用いられる。このアプレットは、ＷＷＷブラウザ１１が画像処理サーバコンピュータ２のＷＷＷサーバ部３に接続した後ＷＷＷサーバ部３からクライアントコンピュータ１にダウンロードされるものであり、後に詳しく説明するが、画像データの低解像度化や画像補正コマンドの送信など種々の処理を行う機能を持っている。
【００１６】
次に、上記プレジャッジシステムにおいて、顧客が自宅のコンピュータをクライアントコンピュータ１として、画像処理サーバコンピュータ２にアクセスして、プリント出力したいデジタルカメラによる画像データをシミュレート画像によってプレジャッジし、最終的にプリント出力するまでのステップを、図２を用いて、画像データの流れを中心にして説明する。
【００１７】
デジタルカメラによって取得された画像データを記憶する記憶メディア１５ａをＰＣカードスロット１５に挿入し、プリント出力を希望する画像データ（画像ファイル）をクライアントコンピュータ１のメモリにロードする（＃１）。ＷＷＷブラウザ１１を起動し、複数の出力センターが共同で設置した画像処理サーバコンピュータ２のＷＷＷサーバ３にアクセスすると、プレジャッジ用アプレットがダウンロードされ、プレジャッジ作業が開始される。
【００１８】
まず、プリント出力したい画像ファイルを指定するが、このプレジャッジ作業はモニタ１３を通じて行われるので、モニタ表示に必要とされる画像の解像度は７２〜９０dpi で十分であるのに対して、銀塩写真に匹敵するようなデジタルプリント出力のために準備される画像の解像度は通常２５０ｄｐｉを越えているため、通信回線６を介してクライアントコンピュータ１と画像処理サーバコンピュータ２との間でやり取りする画像データとして、アプレットは、メモリにロードされている元の画像データから低解像度化した低解像度画像データを作り出す（＃２）。
【００１９】
さらに、アプレットは、顧客が使用しているモニタの機種名や顧客が希望する出力センターのプリント出力機器の機種名の入力を促し、顧客によるこれらの入力が完了すると、これらの入力データは前述した低解像度画像データとともにＷＷＷサーバ部３を通じて画像処理部４に送られる（＃３）。
【００２０】
画像処理部４は、まず、受け取った機種名に該当する機種特性ファイル４２ａをプリント特性格納部４２から検索抽出するとともに、この機種がデジタル銀塩プリンタである場合使用される印画紙のに該当する印画紙特性ファイル４２ｂも検索抽出し、さらに受け取ったモニタ機種名に該当するモニタ特性ファイル４３ａをモニタ特性格納部４３から検索抽出する。ここでいう特性ファイルとは、一般にカラーマネージメントシステムにおける機器プロファイルと呼ばれる基準化テーブルのようなものであり、例えば特定のプリント出力機器では赤味がかったプリントが得られる場合そのような入力／出力曲線を表すような変換データが書き込まれている。
【００２１】
次いで、シミュレート画像生成部４１は、受け取った低解像度画像データが希望したプリント出力機器によってプリント出力した場合に得られると予想される画像、つまりシミュレート画像を表すシミュレート画像データを、前述した機種特性ファイル４２ａ、印画紙特性ファイル４２ｂ、モニタ特性ファイル４３ａを利用して生成する（＃４）。生成されたシミュレート画像データは、クライアントコンピュータ１に送出される（＃５）。
【００２２】
シミュレート画像データを受け取ったクライアントコンピュータ１のアプレットはモニタ１３に図３で示すような画面を表示する。この画面の周辺部はＷＷＷブラウザ画面６０となっているが、そのブラウザ画面６０の内側はシミュレート画像を表示するシミュレート画像表示エリア６１、画像補正コマンド入力エリア６２、さらに、出力機器機種名入力エリア６４、モニタ機種名入力エリア６５、プレジャッジ完了ボタン６６などに分割されている。
【００２３】
モニタ画面に表示されたシミュレート画像を観察して、色補正等の画像補正が必要とする場合、顧客は画像補正コマンド入力エリア６２に形成されている各画像補正項目のスライダー６３ａを用いて必要な画像補正コマンドを画像処理サーバコンピュータ２に送る（＃６）。例えば、表示されたシミュレート画像にて所望の画像に比べて赤味がかっていると感じた場合赤の補色であるシアンのスライダー６３ａをプラス側にスライドさせる。この操作に応答して、アプレットがこのスライド量に対応した画像補正コマンドを生成して、ＷＷＷサーバ部３を通じて画像処理部４の補正コマンド処理部４４に与える。補正コマンド処理部４４は、送られてきた画像補正コマンドに基づく画像処理パラメータをシミュレート画像生成部４１に与えて顧客の要求するシミュレート画像の補正を行う。同時に、この画像補正で用いられた画像処理パラメータは補正履歴ファイルに書き込まれる（＃７）。
【００２４】
補正されたシミュレート画像データは、再びクライアントコンピュータ１に送られ（＃８）、ブラウザ画面６０のシミュレート画像表示エリア６１に表示される。顧客は、必要に応じてこのような画像補正作業を繰り返し、最終的に満足できるシミュレート画像が得られると、完了ボタン６７を押して、この画像データにおけるプレジャッジ作業の終了を画像処理サーバコンピュータ２の画像処理部４に伝えると（＃９）、履歴ファイル生成部４５によって記録された補正履歴ファイルが送られて来る（＃１０）。この補正履歴ファイルは、このプレジャッジ作業の元になった画像データの画像ファイルにリンクされる。
【００２５】
プレジャッジを終え、補正履歴ファイルとリンクされた画像ファイルは、補正履歴ファイルとともにＭＯなどのリムーバルディスク１７の記録メディアに保存され、希望するプリント出力機器（例えば、デジタル銀塩プリンタ）５１を設置した出力センターへ持ち込まれる。持ち込まれた画像ファイルの画像データは、補正履歴ファイルに記録された画像処理パラメータを利用して画像補正されるとともに、出力時のデジタル銀塩プリンタ５１の現像処理液の状態に基づく色合いの修正も行った後、このデジタル銀塩プリンタ５１を使ってプリント出力される。出力されたプリント画像は、予めプレジャッジし、かつ出力時の処理液の状態も考慮したものであるので、顧客の満足できる品質、特に色合い、を有するものとなる。
【００２６】
図４には、本発明によるネットワークプレジャッジシステムの別形態を示している。このシステムは、基本的には図１で示されたシステムと同じであるが、プレジャッジ作業の終了後、元になっている高解像度の画像データがクライアントコンピュータ１から画像処理サーバコンピュータ２に送られ、この送られてきた高解像度データを履歴ファイルの画像処理パラメータを使って画像補正して最終的なプリント出力用画像データを作り出すという点で異なっている。このため画像処理部４には、プリント出力用画像データを生成するプリント出力用画像データ生成部４６が設けられている。さらに、この実施の形態では、出力センター自体が画像処理サーバコンピュータ２を設置しており、この画像処理サーバコンピュータ２をプリントサーバコンピュータ５と高速ＬＡＮを通じて接続させている。
【００２７】
この別形態のシステムにおいて、顧客が自宅のコンピュータをクライアントコンピュータ１として、画像処理サーバコンピュータ２にアクセスして、プリント出力したい画像データをプレジャッジし、最終的にプリント出力するまでのステップを、図５を用いて説明する。
【００２８】
プリント出力を希望する画像データ（画像ファイル）をクライアントコンピュータ１のメモリにロードし（＃１）、プレジャッジ用プログラムの指示に基づいて、プリント出力したい画像ファイルを指定するとその画像ファイルの画像データが必要に応じて低解像度化される（＃２）。さらに、顧客が使用しているモニタの機種名や顧客が希望する出力センターのプリント出力機器の機種名の入力が完了すると、これらの入力データは前述した低解像度画像データとともにＷＷＷサーバ部３を通じて画像処理部４に送られる（＃３）。
【００２９】
画像処理部４は、機種特性ファイル４２ａやモニタ特性ファイル４３ａを利用して生成する（＃４）。生成されたシミュレート画像データは、クライアントコンピュータ１に送出され（＃５）、モニタ表示データに変換されることでシミュレート画像がモニタ１３に表示される。必要に応じて、画像補正コマンドを画像処理サーバコンピュータ２に送ることで（＃６）、シミュレート画像の補正が行われ、同時に、この画像補正で用いられた画像処理パラメータは補正履歴ファイルに書き込まれる（＃７）。補正されたシミュレート画像データは、再びクライアントコンピュータ１に送られ（＃８）、ブラウザ画面６０のシミュレート画像表示エリア６１に表示される。最終的に満足できるシミュレート画像が得られると、完了ボタン６７を押して、この画像データにおけるプレジャッジ作業の終了を画像処理サーバコンピュータ２の画像処理部４に伝える（＃９）。
【００３０】
ここまでのステップ＃１〜＃９は図２で説明したプレジャッジ作業ステップと同様である。しかしながら、この実施の形態では、プレジャッジ作業が終了すると、クライアントコンピュータ１がこのプレジャッジ作業の元となった高解像度画像データを画像処理サーバコンピュータ２に送る。画像処理部４は、受け取った高解像度画像データをプリント出力用画像データ生成部４６に送るとともに（＃１１０）、履歴ファイル生成部４５からこのプレジャッジ作業時に記録された画像処理パラメータを含む補正履歴ファイルをプリント出力用画像データ生成部４６に送る（＃１１１）。プリント出力用画像データ生成部４６は、高解像度画像画像データを補正履歴ファイルに記録された画像処理パラメータを利用して画像補正してプリント出力用画像データを作り出した後、これをプリントサーバコンピュータ５に転送する。プリントサーバコンピュータ５は接続されているプリント出力機器のなかから顧客によって希望されたデジタル銀塩プリンタ５１を使ってプリント出力を行う。
【００３１】
上記実施例の説明においては、プレジャッジ作業に必要される機能をクライアントコンピュータに与えるためにネットワークを通じてロードされるプログラムはＪＡＶＡ言語を用いたアプレットによって作られるように記載しているが、もちろん本発明はそのような形態に限定されるわけではなく、その他のネットワーク技術を利用した種々のプログラミング技術によって、あるいはクライアントコンピュータとサーバコンピュータに独立して搭載されたプログラムによって実現するようにすることが可能である。
【図面の簡単な説明】
【図１】本発明のネットワークプレジャッジシステムの１つの実施形態を示す図
【図２】図１によるシステムでのデータの流れを示す図
【図３】クライアントコンピュータにおけるプレジャッジ作業時のモニタ画面を示す図
【図４】本発明のネットワークプレジャッジシステムの他の実施形態を示す図
【図５】図４によるシステムでのデータの流れを示す図
【符号の説明】
１    クライアントコンピュータ（クライアントコンピュータ）
２    画像処理サーバコンピュータ
３    ＷＷＷサーバ部
４    画像処理部
５    プリントサーバコンピュータ
６    通信回線（インターネット）
１３    モニタ
４１    シミュレート画像生成部
４２    プリント特性格納部
４２ａ  機種特性ファイル（プリント特性ファイル）
４２ｂ  印画紙特性ファイル（プリント特性ファイル）
４３    モニタ特性格納部
４３ａ  モニタ特性ファイル
４４    補正コマンド処理部
４５    履歴ファイル生成部
４６    プリント出力用画像データ生成部
【図１】
0004423518.tif 000002
【図２】
0004423518.tif 000003
【図３】
0004423518.tif 000004
【図４】
0004423518.tif 000005
【図５】
0004423518.tif 000006